(57)【特許請求の範囲】
【請求項１】
回路基板と、該回路基板上に配設された高周波回路等の回路を構成する電気部品と、該電気部品を覆うように前記回路基板に取り付けられた金属板からなる箱形のカバーとを備え、前記カバーと一体にアンテナ部材を形成し、前記カバーは、上面壁と、該上面壁から折り曲げられた側壁とを有し、前記上面壁の角部が前記アンテナ部材に形成した接続部と繋がれて、前記回路基板上に形成されたアースパターンに、前記カバーの下部を電気的に接続したことを特徴とする送受信ユニット。
【請求項２】
前記アンテナ部材は、矩形状をなす前記カバーに繋がれた接続部と、該接続部に繋がれたアンテナ部とを有し、前記アンテナ部が前記カバーの一辺に対して並設して設けられたことを特徴とする請求項１記載の送受信ユニット。
【発明の詳細な説明】
【０００１】
【発明の属する技術分野】
本発明は、携帯電話機に使用して好適な送受信ユニットに関する。
【０００２】
【従来の技術】
携帯電話機に使用される従来の送受信ユニットの構成を図３に基づいて説明すると、絶縁基板からなる回路基板３１上には、アースパターン３２等の種々の配線パターン３３が形成され、この配線パターン３３には、高周波（ＲＦ）回路等の回路を構成する電気部品（図示せず）が配設されている。
【０００３】
金属板からなる矩形状の箱形のカバー３４は、上面壁３４ａと、この上面壁３４ａから四方に折り曲げされた側壁３４ｂとで構成され、このカバー３４は、電気部品を覆うように回路基板３１上に載置され、その下部が半田３５付けによってアースパターン３２に取り付けられている。
【０００４】
金属板からなる逆Ｆ型のアンテナ部材３６は、直線状のアンテナ部３６ａと、このアンテナ部３６ａの一端部から直角状に延び、折り曲げ部３６ｂを有する第１の接続部３６ｃと、第１の接続部３６ｃから間隔を置いてアンテナ部３６ａから直角状に延び、折り曲げ部３６ｄを有する第２の接続部３６ｅとを有する。
【０００５】
そして、このアンテナ部材３６は、第１の接続部３６ｃがカバー３４の外に設けられたアースパターン３２のランド部３２ａに半田３５付けされ、また、第２の接続部３６ｅがカバー３４の外方に引き出された高周波回路部のランド部３３ａに半田３５付けされて取り付けられている。
このような構成を有する送受信ユニットは、携帯電話機のケース内に取り付けられて使用されるようになっている。
【０００６】
【発明が解決しようとする課題】
従来の送受信ユニットは、カバー３４とアンテナ部材３６とが別部品であるため、その製作が面倒であると共に、回路基板３１への取付が別工程となり、生産性が悪く、コスト高になるという問題がある。
そこで、本発明は、生産性が良好で、安価な送受信ユニットを提供するものである。
【０００７】
【課題を解決するための手段】
上記課題を解決するための第１の解決手段として、回路基板と、該回路基板上に配設された高周波回路等の回路を構成する電気部品と、該電気部品を覆うように前記回路基板に取り付けられた金属板からなる箱形のカバーとを備え、前記カバーと一体にアンテナ部材を形成し、前記カバーは、上面壁と、該上面壁から折り曲げられた側壁とを有し、前記上面壁の角部が前記アンテナ部材に形成した接続部と繋がれて、前記回路基板上に形成されたアースパターンに、前記カバーの下部を電気的に接続した構成とした。
【０００８】
また、第２の解決手段として、前記アンテナ部材は、矩形状をなす前記カバーに繋がれた接続部と、該接続部に繋がれたアンテナ部とを有し、前記アンテナ部が前記カバーの一辺に対して並設して設けられた構成とした。
【０００９】
【発明の実施の形態】
本発明の送受信ユニットを図１，図２に基づいて説明すると、図１は本発明の送受信ユニットの一部の斜視図、図２は本発明の送受信ユニットの要部の斜視図である。
【００１０】
次に、本発明の送受信ユニットの構成を説明すると、絶縁基板からなる回路基板１上には、アースパターン２等の種々の配線パターン３が形成され、この配線パターン３には、高周波（ＲＦ）回路等の回路を構成する電気部品（図示せず）が配設されている。
【００１１】
金属板からなる矩形状の箱形のカバー４は、上面壁４ａと、この上面壁４ａの四辺から折り曲げされ、互いに対向する一対の側壁ｂと一対の側壁１ｃと、及び、上面壁４ａに繋がれて形成されたアンテナ部材５とで構成されている。
【００１２】
そして、このアンテナ部材５は、逆Ｆ型を有し、上面壁４ａの角部に繋がれて一辺から直角方向に延びる接続部５ａと、この接続部５ａの一端から直角方向に延びると共に、カバー４の一辺に対して並設されたアンテナ部５ｂと、接続部５ａと平行な状態でアンテナ部５ｂの一辺から延びる延出部５ｃと、この延出部５ｃの一端から直角状に折り曲げられた折り曲げ部５ｄとを有する。
【００１３】
そして、このような構成を有するこのカバー４は、電気部品を覆うように回路基板１上に載置され、その側壁４ｂ、４ｃの下部が半田６付けによってアースパターン２に取り付けられており、その結果、アンテナ部材５の接続部５ａが側壁４ｂ、４ｃと上面壁４ａを介してアースパターン２に接地された構成となっている。
【００１４】
また、カバー４と一体のアンテナ部材５は、折り曲げ部５ｄの端部がカバー４の外方に引き出された高周波回路部のランド部３ａに半田６付けされて取り付けられている。
そして、このような構成を有する送受信ユニットは、携帯電話機のケース内に取り付けられて使用されるようになっている。
【００１５】
なお、上記実施例では、アンテナ部材５の接続部５ａは、上面壁４ａの角部に繋がれたもので説明したが、上面壁４ａの一辺の角部以外の箇所に繋がれたものでも良く、また、アンテナ部材５の接続部５ａを一方の側壁４ｂに繋げるようにしても良い。
【００１６】
【発明の効果】
本発明の送受信ユニットは、金属板からなるカバー４と一体にアンテナ部材５を形成し、回路基板１上に形成されたアースパターン２に、カバー４の下部を電気的に接続したため、カバー４とアンテナ部材５とは一部品で構成できて、従来に比して部品点数が少なく、生産性が良好で、安価な送受信ユニットを提供できる。
また、カバー４とアンテナ部材５のアースパターン２への半田６付けも同じ工程で行うことができて、組立性が良く、安価な送受信ユニットを提供できる。
【００１７】
また、アンテナ部材５は、矩形状をなすカバー４に繋がれた接続部５ａと、該接続部５ａに繋がれたアンテナ部５ｂとを有し、アンテナ部５ｂがカバー４の一辺に対して並設して設けられたため、アンテナ部５ｂのスペースファクタが良く、小型で、且つ、アンテナ部５ｂの長い送受信ユニットを提供できる。
【００１８】
また、カバー４は、上面壁４ａと、該上面壁４ａから折り曲げられた側壁４ｂ、４ｃとを有し、接続部５ａが上面壁４ａの角部で繋がれたため、アンテナ部５ｂがカバー４の一辺の全体にわたって形成できて、アンテナ部５ｂを一層長くできる送受信ユニットを提供できる。
【図面の簡単な説明】
【図１】本発明の送受信ユニットの一部の斜視図。
【図２】本発明の送受信ユニットの要部の斜視図。
【図３】従来の送受信ユニットの一部の斜視図。
【符号の説明】
１  回路基板
２  アースパターン
３  配線パターン
３ａ  ランド部
４  カバー
４ａ  上面壁
４ｂ  側壁
４ｃ  側壁
５  アンテナ部材
５ａ  接続部
５ｂ  アンテナ部
５ｃ  延出部
５ｄ  折り曲げ部
６  半田
【図１】
0003794874.tif 000002
【図２】
0003794874.tif 000003
【図３】
0003794874.tif 000004